(57)【要約】【課題】ピンオンリールからの糸の繰り出しをスムーズに行うことができる釣り用衣服を提供する。【解決手段】釣り用小物を支持するピンオンリール２０を装着するためのピンオンリール装着片２１が衣服本体に取り付けられた釣り用衣服であって、装着されたピンオンリール２０の繰り出し糸の引き出しに伴って前記ピンオンリール装着片２１が角度変更するように該ピンオンリール装着片２１を前記衣服本体に揺動自在に取り付けた。【選択図】図３
2011142853.tif 000002
【特許請求の範囲】
【請求項１】
釣り用小物を支持するピンオンリールを装着するためのピンオンリール装着片が衣服本体に取り付けられた釣り用衣服であって、
装着されたピンオンリールの繰り出し糸の引き出しに伴って前記ピンオンリール装着片が角度変更するように該ピンオンリール装着片を前記衣服本体に揺動自在に取り付けたことを特徴とする釣り用衣服。
【請求項２】
前記ピンオンリール装着片を取付部材に取り付け、その取付部材を前記衣服本体に取り付けることにより該ピンオンリール装着片を揺動自在に構成したことを特徴とする請求項１に記載の釣り用衣服。
【発明の詳細な説明】
【技術分野】
【０００１】
本発明は、釣り用小物を支持するピンオンリールを装着するためのピンオンリール装着片が衣服本体に取り付けられた釣り用衣服に関する。
【背景技術】
【０００２】
上記ピンオンリールには、ケーシング内にバネにより巻き取り付勢された繰り出し糸が備えられている。そして、その繰り出し糸の繰り出し側先端に取り付けられたスナップに釣り用小物の一例であるラインカッターを取り付け、その取り付けられたラインカッターを身体の前方へ引き出すことにより、ケーシング内の繰り出し糸が繰り出されるようになっている。
ところで、上記ピンオンリールは、衣服に縫着されるピンオンリール装着片に装着されて使用される。そして、そのピンオンリール装着片は、それの外周縁の全周を衣服に縫着することにより固定されている（例えば、特許文献１参照）。
【先行技術文献】
【特許文献】
【０００３】
【特許文献１】特開２００２−２３５２２５号公報（段落００１２）
【発明の概要】
【発明が解決しようとする課題】
【０００４】
特許文献１の構成によれば、ピンオンリール装着片の外周縁の全周に渡って衣服に固定されているため、ピンオンリールからの糸の繰り出し方向が常に衣服と平行となる方向（上下方向）になっている。これに対してラインカッターを身体の前方へ引き出す際には、ピンオンリールからの糸の繰り出し方向が斜め前方に変更されてしまう。このため、ピンオンリールの出口部分に糸が接触しながら繰り出されることになり、糸の繰り出しをスムーズに行うことができない場合があった。
【０００５】
本発明が前述の状況に鑑み、解決しようとするところは、ピンオンリールからの糸の繰り出しをスムーズに行うことができる釣り用衣服を提供することを課題とする。
【課題を解決するための手段】
【０００６】
本発明の釣り用衣服は、前述の課題解決のために、釣り用小物を支持するピンオンリールを装着するためのピンオンリール装着片が衣服本体に取り付けられた釣り用衣服であって、装着されたピンオンリールの繰り出し糸の引き出しに伴って前記ピンオンリール装着片が角度変更するように該ピンオンリール装着片を前記衣服本体に揺動自在に取り付けたことを特徴としている。
【０００７】
上記構成によれば、例えば釣り用小物を身体の前方へ移動させることにより糸が引き出されると、これに伴って、ピンオンリール装着片が揺動され、ピンオンリールの繰り出し糸の引き出し方向にピンオンリールの繰り出し方向が沿うようにピンオンリールを角度変更する。その結果、ピンオンリールの出口部分に糸が接触することがなく、ピンオンリールからの糸の繰り出しがスムーズに行える。
【０００８】
また、本発明の釣り用衣服は、前記ピンオンリール装着片を取付部材に取り付け、その取付部材を前記衣服本体に取り付けることにより該ピンオンリール装着片を揺動自在に構成してもよい。
【発明の効果】
【０００９】
ピンオンリールの繰り出し糸の引き出しに伴ってピンオンリール装着片が角度変更する構成にすることによって、ピンオンリールの繰り出し糸の引き出し方向に応じてピンオンリール装着片が角度変更することで、ピンオンリールの出口部分に糸が接触することがなく、ピンオンリールからの糸の繰り出しがスムーズに行える釣り用衣服を提供することができる。
【図面の簡単な説明】
【００１０】
【図１】本発明の釣り用衣服である釣り用上着の正面図である。
【図２】図１で示した釣り用上着のピンオンリール装着片にピンオンリールが取り付けられた状態を示す要部の正面図である。
【図３】図１で示した釣り用上着のピンオンリール装着片にピンオンリールが取り付けられた状態を示す要部の縦断面図である。
【図４】図３のピンオンリール装着片の角度が変更した状態を示す要部の縦断面図である。
【図５】釣り用衣服の前身頃の裏地にピンオンリール装着片が取り付けられている要部の背面図である。
【図６】図３のピンオンリール装着片を元に戻すための構成が備えられた他の実施形態を示す要部の縦断面図である。
【発明を実施するための形態】
【００１１】
以下、本発明の実施の形態を図面に基づいて説明する。
図１に、本発明の釣り用衣服の一例である袖なしの上着であるベストを示している。尚、釣り用衣服としては、袖のある上着であってもよい。このベストは、磯釣りの際に装着されるフローティングベストや、鮎釣りの際に装着される鮎釣り用ベスト等であり、ここでは、鮎釣り用ベストを示している。
【００１２】
鮎釣り用ベストは、衣服本体を構成する前身頃１と、この前身頃１の左右両端に連結される後身頃２とを備えている。前身頃１は、左前身頃３Ａと右前身頃３Ｂとからなり、これら左前身頃３Ａ及び右前身頃３Ｂの左右方向中心部側端に備えさせたベスト着脱用スライドファスナー４を開閉操作することで身体にベストを着脱することができるようになっているが、他の構成であってもよい。つまり、ベスト着脱用スライドファスナー４にて着脱できる構成であるが、他の開閉手段を用いてもよいし、又、開閉手段を無くした構成、つまり頭から被って着るようなベストであってもよい。
【００１３】
図１に示すように、前身頃１のうちの左前身頃３Ａの上側部分に上ポケット５を備えるとともに、左前身頃３Ａの下側部分に下ポケット６を備えている。又、右前身頃３Ｂの上側部分に上ポケット７を備えるとともに、右前身頃３Ｂの下側部分に左右方向において隙間のない状態で併設される左右一対の下ポケット８，９を備えているが、左右方向での幅を図のものよりも更に狭くして構成した３つ以上の下ポケットを右前身頃３Ｂ又は左前身頃３Ａあるいは左右の前身頃３Ａ，３Ｂの両方に備えさせて実施してもよい。又、前記ポケット５，６，７，８，９は、図の矢印で示すように下方から上方へ向かってスライドファスナー１０，１１，１２，１３，１４のスライダー（図示せず）をそれに備えさせた摘み部１０Ａ，１１Ａ，１２Ａ，１３Ａ，１４Ａを持って移動操作することによって、ポケット５，６，７，８，９の開口を開放操作し、開放された状態のスライダーをそれに備えさせた摘み部１０Ａ，１１Ａ，１２Ａ，１３Ａ，１４Ａを持って上方から下方へ移動操作することによって、ポケット５，６，７，８，９の開口を閉塞操作するようになっている。尚、ポケット５，６，７，８，９の開口が閉じられた状態においてスライダー及び摘み部１０Ａ，１１Ａ，１２Ａ，１３Ａ，１４Ａのスライダー側部分を覆うためのカバー部材１５，１６，１７，１８，１９を備えている。
【００１４】
また、左前身頃３Ａの上ポケット５よりも中心側（ベスト着脱用スライドファスナー４側）に、ピンオンリール２０（図２参照）を装着するためのピンオンリール装着片２１が設けられている。
【００１５】
ピンオンリール装着片２１は、合成樹脂等から形成され、略正方形状の本体部２１Ａと、この本体部２１Ａの中心部にドーム状に突出する突出部２１Ｂと、この突出部２１Ｂに後述するピンオンリール２０の装着ピン２０Ｐを上下方向又は左右方向に貫通させることができるように十字状に突出形成された針通し部２１Ｃとを備えている。図３では、装着ピン２０Ｐを針通し部２１Ｃの上下の孔２１ａ，２１ｂに貫通させている。
【００１６】
ピンオンリール２０は、図２〜図４に示すように、ケーシング２０Ａ内にバネ（図示せず）により巻き取り付勢された繰り出し糸２６を備え、その繰り出し糸２６の先端にスナップ２７を介して釣り用小物の一例であるラインカッター２８が取り付けられている。釣り用小物は、ラインカッター２８の他、ハサミやプライヤー、あるいは針外しやガン玉潰しなどであってもよい。また、それら釣り用小物の複数をピンオンリール２０に装着して使用することもある。
【００１７】
ピンオンリール装着片２１は、図１〜図３に示すように、取付部材としての生地２２に外周縁が縫着されている。この生地２２は、ピンオンリール装着片２１の左右幅と略同一の左右幅を有し、かつ、ピンオンリール装着片２１の上下長さよりも長い寸法を有している。そして、生地２２の下端にピンオンリール装着片２１の下端を合わせた状態でピンオンリール装着片２１の外周縁を縫着し、ピンオンリール装着片２１の無い生地２２の上端部２２Ａを左前身頃３Ａの上生地２３と下生地２４との間に挟みこんでこれら３つの部材２３，２２Ａ，２４を縫着することによって、縫着部２５を支点として生地２２を介してピンオンリール装着片２１が揺動できるように構成されている。尚、図１及び図２に示すように、取り付けられたピンオンリール装着片２１の下方には、ピンオンリール２０に連結されたラインカッター２８を覆う横長状でゴム製などの伸縮部材でなる帯状片２９の左右両端が縫着されている。
【００１８】
従って、例えば釣り糸を切断する際に、ラインカッター２８を身体の前方へ引き出すと、それに伴って、図４に示すようにピンオンリール２０が取り付けられているピンオンリール装着片２１が縫着部２５を支点として生地２２を介して衣服から離間する側に揺動するようになっている。その結果、ピンオンリール２０の繰り出し糸２６の繰り出し方向をピンオンリール２０の引き出し方向に沿わせることができるため、繰り出し糸２６をピンオンリール２０からスムーズに繰り出すことができる。
【００１９】
また、図５に示すように、左前身頃３Ａの裏面の上側でベスト着脱用スライドファスナー４側に、前記と同一構成のピンオンリール装着片３０が取り付けられている。このピンオンリール装着片３０は、前記同様に生地３１の下端にピンオンリール装着片３０の下端を合わせた状態でピンオンリール装着片３０の外周縁を縫着し、ピンオンリール装着片３０の無い生地３１の上端部３１Ａを丸めて、その丸めた上端部３１Ａを裏生地３２に縫着することによって、縫着された上端部３１Ａを支点として生地３１を介してピンオンリール装着片３０が揺動できるように構成されている。また、左前身頃３Ａの裏面には、ピンオンリール装着片３０を覆う横長状でゴム製などの伸縮部材でなる帯状片３３の左右両端が縫着されている。
【００２０】
図５において、ピンオンリール装着片３０に装着されたピンオンリール（図示せず）の繰り出し糸をピンオンリール装着片３０の下方に形成された開口Ｋを介して左前身頃３Ａの表側に通すことができるようになっている。開口Ｋは、衣服に形成された開口を閉塞するように左右一対の伸縮自在な生地３４，３５を開口の左右中央部で一部重複するように配置し、配置された生地３４，３５の外周縁を逢着することによって、縫着されていない生地３４，３５の遊端部同士を左右に押し広げることで形成されるようになっている。尚、ピンオンリール装着片３０の上方には、ポケットの開口３６Ａを覆うカバー３６を備えている。
【００２１】
尚、本発明は、前記実施形態に限定されるものではなく、本発明の要旨を逸脱しない範囲で種々の変更が可能である。
【００２２】
例えば、図６に示すように、ピンオンリール装着片２１が常に前身頃の表面（元の位置）に戻るように、伸縮自在なゴムや樹脂あるいは生地等でなるシート部材３７の一端３７Ａを生地２２に縫着し、他端３７Ｂを下生地２４に縫着してもよい。このようにシート部材３７を備えさせることによって、姿勢変更に伴ってピンオンリール装着片２１がバタつくことがないようにしている。また、前記シート部材３７は、ピンオンリール装着片２１の角度が所定角度以上に変更されることを阻止するための阻止手段の機能も有している。つまり、ラインカッター２８を身体の前方へ移動させると、それに伴って、ピンオンリール２０が取り付けられているピンオンリール装着片２１が縫着部２５を支点として生地２２を介して揺動することになるが、ピンオンリール装着片２１の下生地２４との角度が例えば４５度（この角度は自由に変更できる）を越える角度にならないようにシート部材３７が阻止し、不必要にピンオンリール装着片２１が揺動されることがなく、適切な揺動を行わせることができる。尚、このシート部材３７は一枚であってもよいし、複数枚であってもよい。
【００２３】
前記実施形態では、ピンオンリール装着片２１を上側の支点周りで揺動させるようにしたが、左右端の一方の縦（上下）軸周りで揺動させるように構成する、又は下側の支点周りで揺動させるように構成してもよい。
【００２４】
また、前記実施形態では、ピンオンリール２０をピンオンリール装着片２１に装着ピン２０Ｐを介して装着する構成にすることによって、装着ピン２０Ｐ回り（縦軸回り）でピンオンリール２０が多少回転可能になるため、ピンオンリール装着片２１による揺動に加えて装着ピン２０Ｐ回り（縦軸回り）での回動が増えることで、繰り出し糸２６の引き出し方向に更に的確に対応することができ好ましいが、他の係止手段などを用いてピンオンリール２０をピンオンリール装着片２１に完全に固定してもよい。
【００２５】
また、前記実施形態では、ピンオンリール装着片２１を生地２２を介して衣服本体に装着することによって、耐久面及び取付面の両方において有利になるが、ピンオンリール装着片２１を衣服本体に直接装着するようにしてもよい。この場合、ピンオンリール装着片２１の外周縁の一部を衣服本体に縫着して実施することになる。
【００２６】
また、前記実施形態では、ピンオンリール装着片２１を左前身頃３Ａに取り付けたが、右前身頃３Ｂに取り付けてもよいし、左前身頃３Ａ及び右前身頃３Ｂの両方に取り付けてもよい。
【符号の説明】
【００２７】
１…前身頃、２…後身頃、３Ａ…左前身頃、３Ｂ…右前身頃、４…ベスト着脱用スライドファスナー、５，６，７，８，９…ポケット、１０，１１，１２，１３，１４…スライドファスナー、１０Ａ，１１Ａ，１２Ａ，１３Ａ，１４Ａ…摘み部、１５，１６，１７，１８，１９…カバー部材、２０…ピンオンリール、２０Ａ…ケーシング、２０Ｐ…装着ピン、２１…ピンオンリール装着片、２１Ａ…本体部、２１Ｂ…突出部、２１Ｃ…部、２１ａ，２１ｂ…孔、２２…生地（取付部材）、２２Ａ…上端部、２３…上生地、２４…下生地、２５…縫着部、２６…糸、２７…スナップ、２８…ラインカッター、２９…帯状片、３０…ピンオンリール装着片、３１…生地、３１Ａ…上端部、３２…裏生地、３３…帯状片、３４，３５…生地、３６…カバー、３６Ａ…開口、３７…シート部材、Ｋ…開口
【図１】
2011142853.tif 000003
【図２】
2011142853.tif 000004
【図３】
2011142853.tif 000005
【図４】
2011142853.tif 000006
【図５】
2011142853.tif 000007
【図６】
2011142853.tif 000008